(57)【要約】  【課題】構造が簡単で、既存のシャッターに容易に設置可能でありながら台風等の暴風によるシャッターの破損を防止でき、かつシャッターから取り外した際にもコンパクトで収納場所を取らないシャッターの補強構造体を提供する。  【解決手段】シャッター板11の上下方向中間部を室内側から左右に亘って補強する横補強バー２と該横補強バー２から下方に延びてシャッター板11の上下方向中間部から下側部分のみを上下に亘って補強する縦補強バー４とを備え、前記横補強バー２をシャッター１の左右側方に着脱自在に架設し、前記横補強バー２に前記縦補強バー４の上端部を着脱自在に係止し、前記縦補強バー４の下端部を床面50に着脱自在に固定するシャッター１の補強構造体とした。【選択図】    図１
2007023701.tif 000002
【特許請求の範囲】
【請求項１】
暴風時等におけるシャッターの破損を防止するためのシャッターの補強構造体であって、
シャッター板の上下方向中間部を室内側から左右に亘って補強する横補強バーと
該横補強バーから下方に延びてシャッター板の上下方向中間部から下側部分のみを上下に亘って補強する縦補強バーとを備え、
前記横補強バーをシャッターの左右側方に着脱自在に架設し、前記横補強バーに前記縦補強バーの上端部を着脱自在に係止し、前記縦補強バーの下端部を床面に着脱自在に固定するシャッターの補強構造体。
【請求項２】
横補強バーをシャッター板に押し付ける第１押圧手段を備え、横補強バーをシャッター板に押し付けた状態でシャッターの左右側に架設自在に構成した請求項１記載のシャッターの補強構造体。
【請求項３】
第１押圧手段は、シャッターの左右側方であって横補強バーの両端部後方位置にそれぞれ立設した板材と、該板材に後方から螺嵌した左右のネジとからなり、該左右のネジを板材にねじ込むことで横補強バーを前進させてシャッター板に押し付ける請求項２記載のシャッターの補強構造体。
【請求項４】
横補強バーのシャッター板押圧面のほぼ全面に弾性部材を貼付した請求項３記載のシャッターの補強構造体。
【請求項５】
縦補強バーをシャッター板に押し付ける第２押圧手段を備え、縦補強バーをシャッター板に押し付けた状態で横補強バーに上端部を係止自在に構成した請求項４記載のシャッターの補強構造体。
【請求項６】
横補強バーの下面に設けられシャッター板側と下側とが開口した横断面コの字形状の収容ボックスに縦補強バーの上端部を収容することで、横補強バーに縦補強バーの上端部を着脱自在に係止し、
第２押圧手段は、前記収容ボックスの後方壁に設けた貫通孔と該貫通孔に後方から螺嵌したネジとからなり、該ネジを該収納ポケットの後方壁にねじ込むことで縦補強バーを前進させてシャッター板に押し付ける請求項５記載のシャッターの補強構造体。
【請求項７】
縦補強バーのシャッター板押圧面のほぼ全面に弾性部材を貼付した請求項６記載のシャッターの補強構造体。
【請求項８】
暴風時等における幅広シャッターの破損を防止するための幅広シャッターの補強構造体であって、シャッター板の上下方向中間部を室内側から左右に亘って補強する横補強バーと
該横補強バーの複数箇所から下方に延びてシャッター板の上下方向中間部から下側部分のみを上下に亘って補強する複数の縦補強バーとを備え、
前記横補強バーをシャッターの左右側方に着脱自在に架設し、前記横補強バーに前記複数の縦補強バーの上端部を着脱自在に係止し、前記複数の縦補強バーの下端部を床面に着脱自在に固定するシャッターの補強構造体。
【発明の詳細な説明】
【技術分野】
【０００１】
本発明は、シャッターの補強構造体に関するものである。
【背景技術】
【０００２】
建物の窓や出入口等の開口に設けられるシャッターは、建物の開口の両側部に設けられた一対のガイドレールに案内されて、前記開口を上下方向に開閉するシャッター板を備えており、通常、建物の開口の上部に設けられシャッター板を巻取り収納するシャッターボックスを備えている。また、建築物の開口の両側部から天井に沿うようにして配設された一対のガイドレールと、これらのガイドレールのそれぞれに幅方向の端部が摺動自在に支持されたシャッター板と、天井に沿って配設されて、前記シャッター板の上端部を牽引することにより、このシャッター本体を前記ガイドレールに沿って往復させる駆動機構を備えるシャッターも存在する。
【０００３】
ところで、台風上陸時等で強風が吹くと、風圧でシャッター板が室内側に押されて大きく撓み、シャッターを破損する場合があった。この傾向は大型で幅の広いシャッターにおいて顕著であった。そこで、この課題を解決しようと、様々なシャッターの補強構造体等が提案されている。
【０００４】
特許文献１には、シャッター口の内部側または外部側に、シャッター口と所要の間隔をおいて設けられた固定手段と、この固定手段を介して、通常時は取り外しておき、必要時に立設するようにした補強部材と、この補強部材と閉めたローラシャッター間に、通常時には取り外しておき、必要時に取付けるようにした、補強部材とローラシャッターの間隔を所要幅で固定する連結具とを備えたローラシャッター用保護構造体が開示されている。そして、これによって「強風の風圧に耐える強度の確保が可能となる」と記載されている。
【０００５】
上記特許文献１に開示された発明は、補強部材を立設するもの、即ちシャッター板の上下方向のみを補強するものである（特許文献１の図10参照）、しかし、台風等で発生する暴風は強さが刻々と変化し、またシャッター板の左右でも風圧に差が生じる。すると、上下方向に補強されている部分を軸にシャッター板が左右に回動し、瞬間的な風圧の変化によって、シャッター板が左右のガイドレールから外れ、破損することがあった。また、補強部材はシャッター開口部の高さ程度の長さが必要であり、収納場所の問題や、設置に手間取る等の課題もあった。瞬間的な風圧の変化によってもシャッターの破損を防止でき、かつ収納場所を取らず簡単に設置できるシャッターの補強構造体が切望されていた。
【０００６】
また、特許文献２には、適宜位置のスラットの長さ方向両端に、ガイドレール内の係止部に係止する左右の耐風フックを設け、該耐風フックをスラットの長さ方向に亘って設けた補強バーの両端に連結すると共に、上記補強バーをスラットよりも屈曲し易い薄板状に形成して、シャッターカーテンに風圧が作用したときは、スラットを湾曲させようとする曲げ応力をスラット自体が負担し、係止部に係止した左右の耐風フックによる引張応力は補強バーが負担すべく構成したことを特徴とする耐風フックを有するシャッターカーテンの補強構造が開示されている。そして、これによって「スラット全体の耐風圧力が向上する」と記載されている。
【０００７】
上記特許文献２に開示された発明は、簡易な構造で収納場所を取らない点では、前述した特許文献１記載の保護構造体より、優れているといえる。しかし、横方向にのみ補強する構造であるため、耐風性という点では十分でなかった。耐風フックと補強バーを多数設けることで耐風性は向上すると思われるが、結局設置に手間取ることとなる。また、本発明の補強構造は、ガイドレール内に係止部を設ける必要があり、既に設置されているシャッターカーテンに適用することが現実的には困難であった。暴風等によってもシャッターの破損を防止でき、かつ既に設置されているシャッターに取付けることが可能なシャッターの補強構造体も切望されていた。
【特許文献１】特開平７-２４７７７０号公報（請求項４、第10図）
【特許文献２】特許第３４１８８９９号公報（請求項１、第２図）
【発明の開示】
【発明が解決しようとする課題】
【０００８】
本発明は上記課題を解決するものであり、構造が簡単で、既存のシャッターに容易に設置可能でありながら台風等の暴風によるシャッターの破損を防止でき、かつシャッターから取り外した際にもコンパクトで収納場所を取らないシャッターの補強構造体を提供するものである。
【課題を解決するための手段】
【０００９】
上記課題を解決するために本発明のシャッターの補強構造体は、暴風時等におけるシャッターの破損を防止するためのシャッターの補強構造体であって、シャッター板の上下方向中間部を室内側から左右に亘って補強する横補強バーと、横補強バーから下方に延びてシャッター板の上下方向中間部から下側部分のみを上下に亘って補強する縦補強バーとを備え、横補強バーをシャッターの左右側方に着脱自在に架設し、横補強バーに縦補強バーの上端部を着脱自在に係止し、縦補強バーの下端部を床面に着脱自在に固定するシャッターの補強構造体とした。
【００１０】
平成16年に日本を襲った台風23号によって多くのシャッターが破壊される被害を受けた。本願発明者はこれら多くの被害結果を分析・検討した結果、暴風によるシャッターの破壊モードが、シャッター板の上下方向の中間部から下側部分が内側（室内側）に押し込まれた状態で破壊されたものであることを見いだした。そこで、この部分を簡易かつ強固に補強するために、鋭意研究開発を重ね、横補強バーでシャッター板の上下方向中間部を室内側から横方向に補強し、さらに、この横補強バーから下方に向かって延びる縦補強バーでシャッター板の下側部分を室内側から縦方向に補強する上記構成に到達したのである。この構成により、台風等の暴風によるシャッターの破損を防止できる。また、簡単な構造で容易に設置することも可能となる。特に本補強構造体の取付け作業は、最も高い作業位置でも、シャッター板の上下方向の中間部を補強する横補強バーの取付け作業であり、通常は脚立等なしで容易に作業できる高さである。さらに、シャッター板の長手方向を上下に亘って補強するのでなく、シャッター板の上下方向中間部から下側部分のみを上下に亘って補強する縦補強バーを備えることで、長尺の補強バーが不要となりコンパクトで収納場所を取らない補強構造体となる。加えて、横補強バーに縦補強バーの上端部を着脱自在に係止することで、収納時には横補強バーと縦補強バーとに分解可能であり、よりコンパクトで収納場所を取らない補強構造体となる。横補強バーをシャッターの左右側方に着脱自在に架設するには、例えば補強バーの左右それぞれをシャッターの左右側方それぞれにネジ等で着脱自在に直接固定する他、後述する架設構造等を用いることができる。また、横補強バーに縦補強バーの上端部を着脱自在に係止するには、例えば、横補強バーに縦補強バーの上端部をネジ等で着脱自在に直接固定する他、後述する係止構造等を用いることができる。
【００１１】
このとき、横補強バーをシャッター板に押し付ける第１押圧手段を備え、横補強バーをシャッター板に押し付けた状態でシャッターの左右側に架設自在に構成したシャッターの補強構造体とすることができる。
【００１２】
台風等の暴風では、シャッターのガタ付きによって微細なシャッター板の湾曲が生じ、この現象が不規則に繰り返された結果シャッターが破損することがある。上記構成とすることで、シャッターのガタ付きを低減し、暴風によるシャッターの破損を防止する効果が高まるのである。
【００１３】
具体的には、第１押圧手段は、シャッターの左右側方であって横補強バーの両端部後方位置にそれぞれ立設した板材と、板材に後方から螺嵌した左右のネジとからなり、左右のネジを板材にねじ込むことで横補強バーを前進させてシャッター板に押し付けるシャッターの補強構造体とすることができる。ここで、「板材」は薄板状に限定されず、厚板状からブロック状のものまで含む広い概念である。
【００１４】
横補強バーのシャッター板押圧面のほぼ全面に弾性部材を貼付したシャッターの補強構造体とすることが好ましい。
【００１５】
これによって、シャッターのガタ付きがより減少し、暴風によるシャッターの破損を防止する効果がより高まる。また、弾性部材を介して横補強バーをシャッター板に押し付けることとなりシャッター板の傷等を防止できる。弾性部材としては厚手のゴムシート等を例示することができる。
【００１６】
縦補強バーをシャッター板に押し付ける第２押圧手段を備え、縦補強バーをシャッター板に押し付けた状態で横補強バーに上端部を係止自在に構成したシャッターの補強構造体とすることも好ましい。
【００１７】
上記構成とすることで、シャッター板の上下方向中間部から下方部分のガタ付きを低減でき、暴風によるシャッターの破損を防止する効果がより高まる。
【００１８】
具体的には、横補強バーの下面に設けられシャッター板側と下側とが開口した横断面コの字形状の収容ボックスに縦補強バーの上端部を収容することで、横補強バーに縦補強バーの上端部を着脱自在に係止し、第２押圧手段は、収容ボックスの後方壁に設けた貫通孔と貫通孔に後方から螺嵌したネジとからなり、ネジを収納ポケットの後方壁にねじ込むことで縦補強バーを前進させてシャッター板に押し付けるシャッターの補強構造体とすることができる。
【００１９】
縦補強バーのシャッター板押圧面のほぼ全面に弾性部材を貼付したシャッターの補強構造体とすることが好ましい。
【００２０】
これによって、暴風によるシャッターの破損を防止する効果がより高まると同時に、シャッター板の傷等を防止できる。
【００２１】
また、幅広シャッターにおいては、暴風時等における幅広シャッターの破損を防止するための幅広シャッターの補強構造体であって、シャッター板の上下方向中間部を室内側から左右に亘って補強する横補強バーと、横補強バーの複数箇所から下方に延びてシャッター板の上下方向中間部から下側部分のみを上下に亘って補強する複数の縦補強バーとを備え、横補強バーをシャッターの左右側方に着脱自在に架設し、横補強バーに前記複数の縦補強バーの上端部を着脱自在に係止し、複数の縦補強バーの下端部を床面に着脱自在に固定するシャッターの補強構造体とすることで上記課題は解決できる。複数の縦補強バーがシャッター板の幅方向をほぼ同じ幅で区画するように、横補強バーにそれぞれの上端部を係止し、床面にそれぞれの下端部を固定すると良い。「幅広シャッター」は、通常、シャッター板の幅が3.5ｍ以上のシャッターを指す。
【発明の効果】
【００２２】
本発明により、簡単な構造で容易に設置が可能でありながらも台風等の暴風によるシャッターの破損を防止でき、かつシャッターから取り外した際にもコンパクトで収納場所を取らないシャッターの補強構造体を提供することができる。
【発明を実施するための最良の形態】
【００２３】
［第１実施形態：概要］
図１〜図８は本発明の補強構造体の第１実施形態を説明するための図である。まず、図１と図２を用いて、その概要を説明する。図１は本発明の補強構造体の第１実施形態において横補強バー２と縦補強バー４をシャッター１に取付ける様子を示す斜視図である。シャッター１の左右それぞれの室内側（シャッターの左右側方）に、それぞれの開口部を対面させた状態でH形鋼の柱９がそれぞれ立設されている。シャッター１の設置場所等によっては、柱９がH形鋼でなく角鋼、アングル又はチャンネルであったりするが、代表例としてH形鋼の柱９である場合について説明する。
【００２４】
左右の柱９には横補強バー２を架設する架設ユニット３がそれぞれ取付けられている。架設ユニット３はシャッター板11の上下方向ほぼ中央と同じ高さに取付けられている。また、床面50の室内側でシャッター板11の下端部幅方向の中央部に隣接する位置には、縦補強バー４の下端部を床面50に着脱自在に固定するためのネジ止め穴51が形成されている。本図に示すように、横補強バー２はシャッター板11の上下方向中間部を室内側から左右に亘って補強するように、縦補強バー４は横補強バー２から下方に延びてシャッター板11の上下方向中間部から下側部分のみを上下に亘って補強するように設置されて図２の状態となる。横補強バー２のシャッター板11側面にはゴムシート21（弾性部材）が貼付されており、同じく、縦補強バー４のシャッター板側面にもゴムシート41（弾性部材）が貼付されている。
【００２５】
［第１実施形態：縦補強バーの下端部を固定］
次に、図３を用いて縦補強バー４の下端部を床面50に固定する様子を説明する。縦補強バー４の下端にはアングル金具52が内向き斜め上方に開口するように取付けられている。アングル金具52の水平面には貫通孔521が形成され、固定ネジ53を貫通孔521に貫入して床面50に形成されたネジ止め穴51にねじ込むことで縦補強バー４の下端が床面50に固定される。
【００２６】
［第１実施形態：縦補強バーの上端部を係止］
さらに、図４を用いて縦補強バー４の上端部を横補強バー２に係止する様子を説明する。横補強バー２の長手方向中央部の手前側面には、矩形の背面板611が上端部を横補強バー２の手前側上縁に沿わせた状態で固着されている。矩形の背面板611の長さは、この状態で背面板611の下側が横補強バー２の手前側下縁から下方に延出する長さである。背面板611の延出した部分の左右の端部からシャッター板11の方向に向かって延びるように左右の側壁板612.613が取付けられている。このように構成された収容ボックス61は横補強バー２の下面に設けられシャッター板11側と下側とが開口した横断面コの字形状である。この収容ボックス61に縦補強バー４の上端部を収容することで、横補強バー２に縦補強バー４の上端部を着脱自在に係止するのである。係止した状態は図５及び図６の様になる（詳細は後述）。
【００２７】
［第１実施形態：第１押圧手段］
さらに、図７及び図８を用いて、横補強バー２をシャッターの側方に架設する様子と、横補強バー２をシャッター板に押し付ける第１押圧手段を説明する。説明の都合上、これらの図においてH形鋼の柱９を二点破線で表示している。図７に示すように、ベースプレート451の大きさは開口部91の断面形状とほぼ同等である。ベースプレート451は、左右のH形鋼の柱９の開口部91にそれぞれ固着される。ベースプレート451を固着する高さは、左右いずれもシャッター板の上下方向中間部である。そして、矩形のベースプレート451には、長手方向の奥側（シャッター板11側）にシャッター板表面と垂直な方向に長い長孔452が形成されている。また、矩形のベースプレート451の長手方向の略中央部にはアングル金具453が一端を立設した状態でベースプレート451に固着されている。アングル金具453の立設された一端部（板材）にはネジ457が貫入可能な大きさの貫通孔が形成されている。貫通孔の手前面側にはナット455が固着されている。ロックナット456にネジ457を貫入した状態で、ナット455にネジ457をねじ込む。本実施の形態では、ベースプレート451に固着されたアングル金具453と、アングル金具453に形成された貫通孔と、貫通孔と重なった状態で固着されたナット455とネジ457が第１押圧手段を構成する。
【００２８】
［第１実施形態：横補強バーをシャッターの側方に架設］
一方、横補強バー２の左右両端部には上下方向の貫通孔22がそれぞれ形成され、ワッシャ23に貫入したネジ25をベースプレート451の長孔452と横補強バー２の貫通孔22に貫入させてネジ25の先端部にロックナット24をそれぞれ固定する。この作業を左右行うことで、横補強バーを架設することができる。ロックナット24を緩めた状態で、図８に示すように、貫通孔と重なっているナット455にネジ457をねじ込むと横補強バー２がネジ457に押されてシャッター板に接近する。つまり、左右のネジ457の出代を調整することで横補強バー２とシャッター板11との距離を調節して横補強バー２をシャッター板11に押し付けることができる。また、H形鋼の柱９の場合を例示したが、本発明はそれ以外の角鋼等にも適用できる。この場合はベースプレート451の端部を角鋼等に固着すればよい。また、シャッターの両側に柱がない場合であっても、シャッター両側の壁面にベースプレート451を水平に設置すればよい。この場合、壁面とベースプレート451との固着強度を増すために種々の出願時公知手段が使用できる。また、ベースプレート自体をアングルプレートの一端部に形成して他端部外側面を壁面に固着してもよい。ベースプレート自体をガイドレール12（図１参照）に設置しても良いが、耐風強度を考慮すると必ずしも好ましいとは言えない。
【００２９】
［第１実施形態；第２押圧手段］
さらに、図５及び図６を用いて、縦補強バー２をシャッター板に押し付ける第２押圧手段について説明する。これらの図において、横補強バー２はシャッター１の左右側方に架設されている（図２の状態を参照）。図５は本発明の補強構造体の第１実施形態において縦補強バー４の上端部を横補強バー２に係止した状態及び第２押圧手段を示す縦断面図である。本図において、シャッター板11は図示されていないが、向かって左側に隣接した状態で存在している。背面板611の下方に延出した後方壁の中央部には、ネジ654が貫入自在な大きさのネジ孔651が形成され、ネジ孔651と対応する背面板611外側面の位置にナット652が固着されている。ロックナット653にネジ654を貫入させた状態で、ネジ孔651に重なったナット652にネジ654がねじ込まれている。ネジ654の先端は収納ポケットに収納された縦補強バー４の上端部手前側（図５では向かって右側）に当接している。このように構成されているため、図６に示すように、ネジ654をねじ込むことで、縦補強バー４の上端部がネジ654に押されシャッター板11を押圧することになる。なお、本実施の形態では、横補強バー２に固着された背面板611（後方壁）と背面板611のネジ孔651とネジ孔651に重なった状態で固着されたナット652とネジ654とが第２押圧手段を構成する。
【００３０】
［第２実施形態］
最後に、図９及び図10を用いて本発明の補強構造体の第２実施形態について説明する。図９は本発明の補強構造体の第２実施形態において横補強バー２と複数の縦補強バー4a,4b,4cを幅広シャッター100に取付けた状態を示す斜視図であり、図10は図９の補強構造体の分解斜視図である。なお、前述した第１の実施形態と同様の構成要素については同一の符号を付し説明を省略する。
【００３１】
本実施形態において、図10に示すように、縦補強バー4a,4b,4cとネジ止め穴51a,51b,51cと収納ボックス61a,61b,61cの個数は同じ３個である。図９に示すように、３つの縦補強バー4a,4b,4cがシャッター板110の幅方向をほぼ同じ幅で区画するように、横補強バー２にそれぞれの上端部を係止し、床面50にそれぞれの下端部を固定している。３つの縦補強バー4a,4b,4cでシャッター板110の高さ方向中間部より下側部分をバランス良く縦方向に補強しているため、幅広シャッター100であっても暴風等に対して十分な強度を確保できる。
【００３２】
また、図10に示すように、横補強バー２は略中央部で分割自在に構成（201,202）されており、収納場所を取らない。また、中央部で分割された横補強バー２（201,202）をサポートして強度を確保するために、サポートバー203を取付けている。横補強バー２（201,202）とサポートバー203はそれぞれに設けた対応するフランジ状の連結片204同士をネジ止めすることで結合されるのである。なお、図10においてこれらのネジを省略している。
【００３３】
以上、特定の実施形態を参照して本発明を説明したが、本発明は上記実施形態に限定されるものではなく、当該技術分野における熟練者等により、本出願の願書に添付された特許請求の範囲から逸脱することなく、種々の変更及び修正が可能であるとの点に留意すべきである。
【図面の簡単な説明】
【００３４】
【図１】本発明の補強構造体の第１実施形態において横補強バーと縦補強バーをシャッターに取付ける様子を示す斜視図である。
【図２】本発明の補強構造体の第１実施形態において横補強バーと縦補強バーをシャッターに取付けた状態を示す斜視図である。
【図３】本発明の補強構造体の第１実施形態において縦補強バーの下端部を床面に固定する様子を示す斜視図である。
【図４】本発明の補強構造体の第１実施形態において縦補強バーの上端部を横補強バーに係止する様子を示す斜視図である。
【図５】本発明の補強構造体の第１実施形態において縦補強バー上端部を横補強バーに係止した状態と第２押圧手段を示す縦断面図である。
【図６】本発明の補強構造体の第１実施形態において第２押圧手段の作用を説明するための斜視図である。
【図７】本発明の補強構造体の第１実施形態において横補強バーの一端をシャッターの側方に架設する様子と第１押圧手段を説明するための分解斜視図である。
【図８】本発明の補強構造体の第１実施形態において第１押圧手段の作用を説明するための斜視図である。
【図９】本発明の補強構造体の第２実施形態において横補強バーと複数の縦補強バーを幅広シャッターに取付けた状態を示す斜視図である。
【図１０】図９の補強構造体の分解斜視図である。
【符号の説明】
【００３５】
１     シャッター
11    シャッター板
12    ガイドレール
２      横補強バー
21,41  ゴムシート
３      架設ユニット
４      縦補強バー
50      床面
51      ネジ止め穴
９      柱
【図１】
2007023701.tif 000003
【図２】
2007023701.tif 000004
【図３】
2007023701.tif 000005
【図４】
2007023701.tif 000006
【図５】
2007023701.tif 000007
【図６】
2007023701.tif 000008
【図７】
2007023701.tif 000009
【図８】
2007023701.tif 000010
【図９】
2007023701.tif 000011
【図１０】
2007023701.tif 000012